(57)【要約】  ヘッドライナモジュール１４は、ウィンドスクリーンローラブラインド装置１７が組み込まれる事前アセンブルユニットを形成する。また、組み込みの程度によるが、ヘッドライナモジュール１４は、折り畳み式のサンバイザ２７、２８と室内ミラー３５と照明３６、３７、３８とスイッチ４１とを備えうる。【選択図】図２
2009529459.tif 000002
【特許請求の範囲】
【請求項１】
ヘッドライナ（１４、１５）の前面はフロントウィンド（８）の上縁（１０）によって範囲が定められ、かつ、その側面は、サイドウィンド（１０）に隣接する横ルーフ縁によって範囲が定められ、
２つの長い縁と２つの短い縁（１８、１９、２０、２１）とによって範囲が定められる、少なくとも１つの略台形形状または矩形形状（２３）を有するパネル（１６）であって、
前記長い縁の一方（１８）は、自動車（１）の前記フロントウィンド（８）の前記上縁（１０）の外形をたどり、かつ、横ルーフ縁の近傍まで延び、
前記他方の長い縁（１９）は、ほぼまっすぐで、かつ、横ルーフ縁の近傍まで、少なくとも部分的に延び、ならびに、
前記２つの短い縁（２０、２１）は、前記２つの長い縁（１８、１９）の間の領域において横ルーフ縁の外形を少なくともおおよそたどる、パネル（１６）と、
前記パネル（１５）上に取り付けられるフロントウィンドシールド用のウィンドブラインド装置（１７）と、
を備える自動車（１）、特に乗用車、のヘッドライナ用のヘッドライナモジュール（１４）。
【請求項２】
前記パネル（１６）は、外殻構造で少なくともほぼ実現されること、ならびに、前記パネルは、底面（２３）と、前記底面（２３）で始まりかつ前記底面（２３）が前記自動車（１）の室内に面すると同時に実装状態において上方を向く縁またはカラー（２４）と、から構成されることを特徴とする請求項１に記載のヘッドライナモジュール。
【請求項３】
前記パネル（１６）は成形プラスチック部品から構成されることを特徴とする請求項１に記載のヘッドライナモジュール。
【請求項４】
前記パネル（１６）は一体型成形プラスチック部品から構成されることを特徴とする請求項１に記載のヘッドライナモジュール。
【請求項５】
事前アセンブルユニットを形成することを特徴とする請求項１に記載のヘッドライナモジュール。
【請求項６】
実装状態において、自動車ルーフとＡピラー（１２）との間の変わり目の近傍まで延びることを特徴とする請求項１に記載のヘッドライナモジュール。
【請求項７】
前記フロントウィンドシールド用の前記ローラブラインド装置（１７）は、１つまたは２つの巻取シャフト（４２）を備え、その縦軸は、前記フロントウィンド（８）に隣接して位置する前記長い縁（１８）に平行に伸びることを特徴とする請求項１に記載のヘッドライナモジュール。
【請求項８】
前記フロントウィンドシールド用の前記ローラブラインド装置（１７）は、前記ローラブラインド装置（１７）の少なくとも巻き上げ方向に前記巻取シャフト（４２）を回転せしめる駆動装置（４７）を備えることを特徴とする請求項１に記載のヘッドライナモジュール。
【請求項９】
前記フロントウィンドシールド用の前記ローラブラインド装置（１７）は、巻取シャフト（４２）ごとに１つの好ましくはたるんだローラブラインド（４３）を備え、引出し棒（４４）は、前記フロントウィンドシールド（８）の正面に動かしうる前記ローラブラインドの縁に割付けられることを特徴とする請求項７に記載のヘッドライナモジュール。
【請求項１０】
前記引出し棒（４４）は、前記フロントウィンドシールドの下縁の領域に配置されるはと目または鉤に前記引出し棒（４４）を固定するための、相応する鉤またははと目（４５）によって、備えられることを特徴とする請求項９に記載のヘッドライナモジュール。
【請求項１１】
案内レール（４９）は、少なくとも１つの前記Ａピラー（１２）の中に組み込まれ、前記引出し棒（４４）の一方の端が前記案内レールに案内されることを特徴とする請求項１に記載のヘッドライナモジュール。
【請求項１２】
サンバイザ（２７、２８）は、前記パネル（１６）上に回転かつ旋回可能に取り付けられることを特徴とする請求項１に記載のヘッドライナモジュール。
【請求項１３】
前記サンバイザ（２７、２８）それぞれは、前記短い縁（２０、２１）それぞれの近傍に取り付けられることを特徴とする請求項１２に記載のヘッドライナモジュール。
【請求項１４】
前記サンバイザ（２７、２８）を収納するために、前記サンバイザ（２７、２８）の外形に少なくともほぼ合致するくぼみ（２５、２６）を備え、前記サンバイザ（２７、２８）を使用しないとき、前記くぼみは前記サンバイザ（２７、２８）を収納することを特徴とする請求項１２に記載のヘッドライナモジュール。
【請求項１５】
前記サンバイザ（２７、２８）は、寸法安定性のある素材から構成されることを特徴とする請求項１２に記載のヘッドライナモジュール。
【請求項１６】
照明システム（３６、３７、３８）は、前記パネル（２６）の中に組み込まれることを特徴とする請求項１に記載のヘッドライナモジュール。
【請求項１７】
前記照明システム（３６、３７、３８）は、少なくとも３つの照明要素を備えることを特徴とする請求項１６に記載のヘッドライナモジュール。
【請求項１８】
前記自動車（１）の少なくとも１つの電子的および／または電気的構成要素を制御するための少なくとも１つのボタンまたはスイッチ（４０）は、前記パネル（１６）に配置されることを特徴とする請求項１に記載のヘッドライナモジュール。
【請求項１９】
送信および／または受信装置が中に組み込まれることを特徴とする請求項１に記載のヘッドライナモジュール。
【請求項２０】
室内バックミラー（３５）は、前記パネル（１６）に取り付けられることを特徴とする請求項１に記載のヘッドライナモジュール。
【請求項２１】
前記パネル（１６）は、できればロックされうるコンパートメントを含むことを特徴とする請求項１に記載のヘッドライナモジュール。
【請求項２２】
前面はフロントウィンド（８）の上縁（１０）によって範囲が定められ、かつ、側面は横ルーフ縁によって範囲が定められるヘッドライナ（１４、１５）であって、前記ヘッドライナ（１４、１５）は２つの領域から構成され、ならびに、自動車の前記フロントウィンドシールド（８）に近接して置かれる領域は前記請求項のうちの少なくとも１つに記載のヘッドライナモジュール（１５）によって形成される、ヘッドライナ（１４、１５）を有する自動車、特に乗用車（１）。
【請求項２３】
フロントウィンドシールド用のローラブラインド装置（１７）の構成要素（４３）の通路のための間隙（４８）は、前記ヘッドライナモジュール（１４）と前記フロントウィンドシールド（８）の上縁（１０）とのあいだに備えられることを特徴とする請求項２２に記載のヘッドライナ（１４、１５）を有する自動車、特に乗用車。
【発明の詳細な説明】
【背景技術】
【０００１】
今まで、自動車のヘッドライナは、メタルルーフの下側の車体内部に実装される布片または事前成形硬質フィルムから構成された。ヘッドライナは、見た目に美しいように車体ルーフを補強することが求められる内装車体構造を被覆するはずである。ヘッドライナは、フロントウィンドシールドの上縁からリヤウィンドの後縁へ、かつ、水平方向では一方の横クラウンから他方へ延びる。フロント領域においてドア体に少なくとも一体化されるサイドウィンドは、横クラウンの真下で始まる。
【０００２】
自動車のフロントウィンドシールド上のサンバイザは、ヘッドライナとは別個に車体の該当する構造要素上に通常取り付けられる。この目的のために、ねじはヘッドライナを形成する外殻を貫通する。オプションとして実装される昇降式またはスライド式のガラスのサンルーフの制御用スイッチおよび任意の遠隔制御用スイッチを収容するためのプラスチック一体成形部は、ヘッドライナの中央領域にのみ設けられる。室内バックミラーが、フロントウィンドシールドに接合されていない場合は、ときとしてこのプラスチックモジュール上にも固定される。
【発明の開示】
【発明が解決しようとする課題】
【０００３】
自動車に対する適用登録基準によると、フロントウィンドシールドに備えられるサンバイザは、所定の距離だけ運転者の視界の中に突出しうるだけである。それゆえ、サンバイザは、駐車中の車内への太陽照射を防ぐには一般的に不適である。もしフロントウィンドシールドを通り抜けて太陽照射が起これば、室内はそれゆえ熱せられる。また、フロントウィンドシールドは、ダッシュボードとウィンドシールド上縁上の対応する受け口との間に筋かいの助けを借りて手動で留められる、いわゆる日よけにより、陰にされうる。しかしながら、この解決策は複雑であり、かつ不十分である。
【０００４】
関連特許文献から多くの実施形態が知られるが、ローラブラインドは、今のところさまざまな理由によりフロントウィンドシールド上に実装されたことがない。もっともらしい理由は、容易に実装しかつ追加的な費用が自動車価格を大きく上昇させることなく、ヘッドライナにローラブラインド機構を組み込むことが複雑だということである。
【０００５】
これらの状況に基づいて、本発明は、ヘッドライナのフロント領域に置かれる機能装置の簡易な実装を可能にするヘッドライナモジュールを開発することを目的とする。
【課題を解決するための手段】
【０００６】
本発明によると、本目的は、請求項１の特徴を有するヘッドライナにより実現される。
【０００７】
該新たなヘッドライナモジュールは、少なくとも略矩形形状のパネルを特徴として備える。その外周は、２つの長い縁と２つの短い縁とによって範囲を定められる。２つの長い縁のうちの一方は、２つのＡピラーまでフロントウィンドシールドの上縁の外形をなぞる。他方の縁の外形は任意に実現されうるが、残りのヘッドライナへの見た目が十分に美しい変わり目が実現されるよう、できるだけ選定される。パネルの色彩は、なるべく残り部分のヘッドライナに合わせる。
【０００８】
しかしながら、２つの短い縁は、横クラウンの外形、すなわち、ルーフと車体の横領域との間の移行ラインをなぞる。また、その短い縁は、ルーフと２つのＡピラーとの間の変わり目までおおよそ延びる。
【０００９】
自動車の各Ａピラーは、ヘッドライナと別個にそれぞれ裏張りされる。
【００１０】
これは、比較的容易に取り扱われかつ同時に目に見える境界として機能する支持構造を結果として生ずる。自動車のヘッドライナ領域に一般に収納される多数の構成単位およびモジュールは、この支持構造上に目に見えるようにまたは見えないようにパネルの形で取り付けられる。本発明によると、これは、特に、パネルに取り付けられるローラブラインド機構を含む。好ましくは、パネルそれ自身によって被覆される場所に置かれる。言い換えれば、ローラブラインド機構は、ヘッドライナモジュールのパネルと実際の車体ルーフとの間に置かれる。
【００１１】
ルーフウィンドを備える自動車において、もしヘッドライナモジュールが対応する開口を備えていなければ、自動車のＸ軸に対して平行な方向のモジュールの長さは、該ウィンドの縁によって定められうる。
【００１２】
パネルの下側は、その下側がヘッドライナの残り部分に調和して一体化されるような凹んだ仕上げで自然に湾曲する。
【００１３】
もし、最も広い意味において、パネルがほぼ外殻状で、取付板と、取付板に始まりかつ好ましくは底面全体にわたって途切れることなく延びる縁またはカラーから構成されるならば、特に頑丈なパネルが形成される。該縁またはカラーは、すべての位置で同一の高さを有する必要はない。寸法は、各実装条件次第である。ローラブラインド機構のローラブラインドへのこのカラーまたは縁に対する擦れを防ぐために、特にローラブラインド機構の領域においては、この縁またはカラーはより小さい。
【００１４】
もしヘッドライナモジュールのパネルがプラスチック、好ましくは一体成形プラスチック部品から構成されるならば、費用対効果の高い生産条件が実現される。
【００１５】
前述した本発明の目的によると、ヘッドライナモジュールとそこに配置されるすべての部品は、その組立のあいだ、自動車に実装される事前アセンブルユニットを形成する。この目的のために、パネルは、単に開口を有しうる対応する接続装置によって備えられ、該開口を介してヘッドライナモジュールに対する装着ねじが延びる。
【００１６】
フロントウィンドシールド用のローラブラインド機構は、ゆるみのある素材からなるローラブラインドが固定される１つまたは２つの巻取シャフトを備える。使用する巻取シャフトが１つか２つかの問題は、フロントウィンドシールドの湾曲による。もしフロントウィンドシールドが大きな湾曲を有するならば、フロントウィンドシールドに対する過度のキャリパ効果を防ぐために、２つの巻取シャフトを使用するのがよい。フロントウィンドシールドが比較的扁平であるならば、この場合において、中央領域においてフロントウィンドシールドから適度に短い距離を有しうる１つの巻取シャフトのみの使用で十分である。
【００１７】
もし２つの巻取シャフトが使用されるならば、ローラブラインドは、自動車が駐車している間日射が生じる最小限の隙き間を形成するように、引き出された状態においてより低い領域内で任意に一部重ね合わせてもよい。
【００１８】
フロントウィンドシールド用のローラブラインド機構は、ローラブラインドの巻き上げ方向へ各巻取シャフトに少なくとも圧縮応力を与える駆動装置を伴って好都合に備えられる。そのような駆動装置は、平型うず巻ばねまたはコイルばねの形態で実現されるばねモータを単純に備えてよい。
【００１９】
フロントウィンドシールド用のローラブラインド機構を動作するための最も簡易な選択肢は、手動の操作である。この目的のために、ローラブラインドの前縁上の引出し棒が、ダッシュボード上の対応する鉤またははと目と協働する鉤またははと目によって備えつけられる。引出し棒は、この位置に手動で固定される。
【００２０】
自動車が停止状態の間だけ、フロントウィンドシールド用のローラブラインド機構は使用されるということから、自動車が停止状態の間は、フロントウィンドシールド用のローラブラインドを期せずして始動する動作が起こらないので、１つの鉤を備えれば十分である。
【００２１】
車体の形状次第で、各ローラブラインドの引出し棒を少なくとも一方の側に案内するため、Ａピラーの中に案内レールが収納されることも考えられうるであろう。また、フロントウィンドシールド用の電動ローラブラインドを実現することも可能であろう。
【００２２】
多くの包括的事前アセンブルについては、従来のフリップダウン式のサンバイザがすでにパネル上に備えられているならば、それもまた好都合である。フリップダウン式のサンバイザは簡易にパネル上に置かれてもよいし、またはくぼみもしくはポケットの中に収納されてもよい。巻取シャフトの収納によってパネルは比較的厚くなるので、後者は都合がよい。サンバイザに対する十分な空間は、この方法で容易に形成される。
【００２３】
従来、サンバイザは、寸法安定性のある素材から構成されるが、その素材は可撓性があるため衝突の際の負傷の危険性が軽減される。
【００２４】
さらに、照明要素は、ヘッドライナモジュールのパネルの中に組み込まれうる。また、ヘッドライナモジュールのパネルは、室内バックミラーに対する支持体としても機能しうる。ミラーの防振取付が確実になされるように、この目的のためパネルは裏側または上側にそれに応じて必然的に補強される。
【００２５】
最後に、パネルは、できれば固定されうる一体型区画を含んでよい。サングラスなどは、そのような区画に格納されうる。
【００２６】
本発明の他の改良点は、従属請求項の主題である。
【００２７】
本発明の基本的な実施形態は、下記図の記述を参照して説明される。それぞれの状況に適合するため、この実施形態は必然的に多くの異なる方法で修正が加えられうる。特に、図が、多くの細部のために複雑化するよりも、むしろ本発明をより容易に理解するため技術的に簡略化されていることは留意されるべきである。
【発明を実施するための最良の形態】
【００２８】
図１は、切除された右側ドアの方向から見た自動車１の室内の簡素化した斜視図を示す。この図は、その正面に置かれるハンドル３がついたダッシュボード２と、ダッシュボードの下側の脚スペースに始まる中央コンソール４と、中央コンソール４に近接して置かれる運転者席５およびフロント助手席６と、を示す。ダッシュボード２は、上面７を備え、その正面にフロントウィンド８が位置する。フロントウィンドシールド９は、フロントウィンド８に装着される。
【００２９】
フロントウィンドの外周は、ダッシュボード２の上面７の下に位置する下窓縁と、それにほぼ平行に延びる上窓縁１０と、２つの側縁（うち側縁１１のみが本図に示される）と、によって範囲を定められる。もう一方の側縁は、前述側縁の鏡像として認識され、本図には示されない。
【００３０】
側縁１１は、Ａピラー１２の部分を形成し、自動車の右側の他方のＡピラーはその鏡像として認識される。Ａピラーは、ドアに一体化されるサイドウィンド１３によって境界をなす。
【００３１】
参照符号１４で全体的に示されるフロントのヘッドライナモジュールは、上窓縁１０の上側に位置し、このフロントのヘッドライナモジュールは、リヤウィンド（示されない）にまで延びるリヤヘッドライナ区画１５に隣接される。
【００３２】
図２および図３によると、ヘッドライナモジュール１４は、フロントウィンドシールド用の内蔵ローラブラインド機構１７を有するパネル１６を備える。
【００３３】
パネル１６の外周は、長い前縁１８と、長い後縁１９と、２つのより短い側縁２０，２１と、によって範囲が定められる。側縁は、ルーフが側壁に移行する横クラウン２２に直接隣接して位置する。前縁１８は、上窓縁１０の輪郭をほぼたどり、一方、後縁１９はヘッドライナの湾曲に沿って２つの側縁２０、２１の間の最短の接続を示す実線をなぞる。しかしながら、さらに側縁２０、２１は、Ａピラー１２の上端と、ヘッドライナ１５またはヘッドライナモジュール１４との間の領域における車体をそれぞれほぼなぞる。
【００３４】
車体の形状しだいで、パネル１６は、わずかに湾曲した縁を伴う略矩形または略台形の形状を有する。
【００３５】
パネル１６は外殻構造で実現されかつ底面２３を備え、その底面２３の縁に沿って浮出しカラー２４が延びる。
【００３６】
カラー２４は、同時に底面２３を補強する役割を果たすよう、側面外周にわたって閉じている。図３に示される図に関して、その目に見える側面は、パネル１６の底面によって形成される。
【００３７】
カラー２４と同様に底面２３は、要求される安定性を実現するために、個別の要求仕様にもよるが、対応する横梁および筋交いの方法で補強される比較的薄壁の一体成形プラスチック部から構成されることを、図は示す。
【００３８】
ヘッドライナモジュール１４を車体に接続するために要求される手段は、特に所与のデザインに左右されるので、図には示されない。しかしながら、室内から車体ルーフ上にヘッドライナモジュール１４を取付けかつ保持するために、そのような接続装置が備えられることは言うまでもない。
【００３９】
運転者席５およびフロント助手席６の正面にそれぞれ位置し、かつ、駐車状態のときにサンバイザ２７、２８を収容するように機能する、２つの隣接したくぼみまたはポケット２５、２６を、底面２３は含む。一般に、サンバイザ２７、２８は、それに対応する外形を有する剛性の発泡プラスチック部品から構成され、もし適用できるのであれば、公知技術として知られる埋め込み型ミラーおよび照明要素を備える。
【００４０】
サンバイザ２７は、回転可能な蝶番２９によってパネル１６に回転かつ旋回可能に接続される。回転可能な蝶番２９は、フランジプレート３１によりポケット２５の底面３２に取り付けられる。
【００４１】
ポケット２５は、サンバイザ２７の外周形状に適合される形状を有することを、図は示す。
【００４２】
また、相当する回転かつ旋回可能に取り付けられる装置は、ポケット２６に固定される回転可能な蝶番３３の形状でサンバイザ２８に対して備えられる。
【００４３】
ポケット２５の深さは、各サンバイザ２７、２８の肉厚に、指を使ってサンバイザ２７、２８を掴みかつ旋回するために必要な空隙を加えたものにほぼ相当する。
【００４４】
回転可能な蝶番２９、３３は、上窓縁１０に対して略平行な水平軸を中心に各サンバイザ２７、２８を旋回することを可能にし、そこでは、Ａピラー１２に近接するサイドウィンド１３の正面のサンバイザそれぞれを配置するために、垂直軸を中心に下向きに旋回するサンバイザ２７、２８の向きを変えることも可能である。
【００４５】
さらに、ポスト部３４は、底面２３の目に見える側のパネル１６に接続される。室内バックミラー３５は、ボールソケット形軸継手によってポスト部３４の自由端上に取り付けられる。また、自動車１の室内照明システムの照明ユニット３６、３７、３８は、パネル１６に組み込まれる。照明ユニット３６の例に示されるとおり、各照明ユニットは、パネル１６の底面２３にあるそれに相当する開口内に挿入される筐体３９を備える。照明ユニット３６に対する電気接続は、参照符号４０で概略的に表示される。２つの概略的に示されたスイッチ４１は、照明ユニット３６、３７、３８を作動するためにパネル１６の底面２３に嵌め込まれる。その結果、それらのスイッチは、運転者席５またはフロント助手席６に座る人によって作動されうる。
【００４６】
２つの巻取シャフト４２はそれぞれ、パネル１６の外殻形状によって範囲が定められるその内部に、すなわち長い縁１８に隣接して、回転可能に取り付けられる。部分的な図示のため、ローラブラインド機構１７の一部を形成する２つの巻取シャフト４２のうちの左巻取シャフトのみが図３において目に見える。図２において、運転者の位置から見るとパネル１６で覆われるので、この左巻取シャフトは破線で示される。一般に巻取シャフト４２は、パネル１６上にそれに対応して取り付けられるかまたは一体として認識されるコンソールの間で、自由に回転するよう支持される。この種のコンソールは、十分に公知であり、それゆえ詳細に示される必要はない。
【００４７】
たるんだローラブラインド４３の一方の縁は、管状の巻取シャフト４２上に固定され、そこで、前述ローラブラインドの自由可動縁は、引出し棒４４に接続される。引出し棒４４は、ダッシュボード２の上面７上のはと目（示されない）に引出し棒を引っ掛けることを可能にする鉤４５を保持する。また、作動ツマミ４６も引出し棒４４に接続され、引出し棒４４を操作するためおよびローラブラインド４３を引き出すために、片手でつかみうる。
【００４８】
対応する巻取シャフト４２上にローラブラインド４３を巻き戻すために、従来通り各巻取シャフトは、その内部にばねモータ４７を備える。ばねモータ４７は、例えばコイルばねから構成され、その一方の端は従来通り管状巻取シャフト４２の内部に固定され、もう一方の端は回転しない方式で巻取シャフト４２に対する軸受コンソール上に固定される。巻取シャフト４２は、ばねモータ４７によってローラブラインド４３の巻き上げ方向に圧縮応力を与えられる。
【００４９】
望む通りにローラブラインド４３を引き出すため、フロントウィンドシールド９と前縁１８との間に隙間４８を形成するように、パネル１６の前縁１８は、図３に示されるとおりフロントウィンドシールド９から相当の間隔をもって終わる。
【００５０】
フロントウィンドシールド用のローラブラインド装置１７の設計しだいで、隙間４８は、前縁１８の全幅にわたって広げてもよいし、または２つの巻取シャフト４２が図に示されるとおり使用されるときは２区画に分割されてもよい。
【００５１】
フロントウィンドシールド９がそれ相応に湾曲しているならば、２つの巻取シャフト４２を、１つの連続巻取シャフトまたは、公知技術として知られる湾曲状巻取シャフトに交換することも考えられうる。
【００５２】
双方のＡピラー１２にそれぞれ１つの案内レール４９を備えることも可能であり、そこでは、引出し棒４４のそれに対応する端がそれらの案内レールに案内される。もし、案内レール４９がＡピラー１２またはそれらの内張りにそれぞれ備えられるならば、電動式でフロントウィンドシールド用のローラブラインド装置１７を実現することも可能である。
【００５３】
前述装置の実装は、下記のとおり行われる。
【００５４】
パネル１６の製造後、初めにパネルは照明ユニット３６、３７、３８とスイッチ４１とを嵌め込まれる。電動装置は互いに配線され、接続ケーブルは自動車の電気システムへの接続を形成するために設けられる。次に、回転可能な蝶番２９、３３は、意図された位置でパネル１６上に取り付けられる。この時点で、フリップダウン式のサンバイザ２７、２８は、それぞれの回転可能な蝶番２９、３３にすでに配置されてよい。フリップダウン式のサンバイザ２７、２８が照光式化粧用鏡を有するならば、この照光は、すでにある配線と接続されうる。一般に、これに対応するケーブルは回転可能な蝶番２９または３３それぞれを介して延びる。この方式により、ケーブルは外側からは見ることができず、損傷されえない。
【００５５】
次に、前もってばねモータ４７とローラブラインド４３とを嵌め合わされた巻取シャフト４２が、パネル１６上に取り付けられる。最後に、室内バックミラー３５のついたポスト部３１が実装される。
【００５６】
これは、もはや個々にヘッドライナに取り付けられない多数の機能ユニットを装着済みである事前アセンブルモジュール１４を、結果として生ずる。
【００５７】
その結果準備されかつ完全に嵌合されたモジュール１４は、自動車組立ての間に車体ルーフの下側にユニットとして取り付けられる。残りのヘッドライナ区画１５は、取付過程の前後に実装されうる。自動車への完成したモジュール１４の実装は、電気システムへの接続が行われた後に、完了される。
【００５８】
実装された状態において、ヘッドライナモジュール１４は、一方の横クラウン２２から図１に示される他方に延び、すなわち、ルーフの全体幅にわたって延びる。
【００５９】
本発明の装置は、特に、ウィンドローラブラインド装置が容易に取り付けられることが可能で、見た目に美しい空間を形成する。本発明の解決策なしには、各構成要素は、別々に取り付けなければならないであろうし、それらの実装後に巻取シャフトの下側にヘッドライナを実装する必要があるであろう。
【００６０】
従来通り、ユーザは、サンバイザ、室内バックミラー、照明ユニットを操作する。
【００６１】
晴天に自動車を駐車し、フロントウィンド８を通り抜けるかなりの日射を防ぐべきとき、ユーザは、それぞれのウィンドローラブラインド上のツマミ４６を掴み、前述ツマミ４６の助力によってそこに固定されたローラブラインドと一緒に引出し棒４４を下方向に引っぱる。引出し動作のより低い端で、鉤４５は、これに相応するダッシュボード２の上面７上に配置されるはと目（示されない）に、引っ掛けられる。
【００６２】
図１は、運転者席５およびフロント助手席６の正面に置かれたそれぞれのウィンドブランド４３が完全に引き出されている状態を示す。フロントウィンド８は、この方式でほとんど日陰になる。２つのローラブラインド４３の間の隙間と、側縁１１とローラブラインド４３の隣接する縁との間の各隙間と、だけが残る。それらの隙間を通って起こる日射は比較的少なく、車内をもはや著しく熱することはない。本質的に、室内は車体を通る熱伝導によって熱せられるだけである。フロントウィンドシールドを通る日射によるグリーンハウス効果は防がれる。
【００６３】
各ローラブラインド４３を引っ込めるため、ユーザは鉤４５をはずし、手動で引出し棒４４を上方に案内する。この手順のあいだ、ばねモータ４７は、巻取シャフト４２上にローラブラインド４３を巻き上げる。引出し棒が、パネル１６上に配置される相応する限界停止部（示されない）に接すると、この巻上げ手順は終了する。
【００６４】
ヘッドライナモジュールは、フロントウィンドシールド用のローラブラインド装置が組み込まれる事前アセンブルユニットを形成する。また、組み込みの程度によるが、ヘッドライナモジュールは、フリップダウン式のサンバイザと室内バックミラーと照明ユニットとスイッチとを備える。
【図面の簡単な説明】
【００６５】
【図１】ダッシュボードの方向に見る、本発明に係るヘッドライナモジュールを有する自動車の断面斜視図である。
【図２】図１に示されるヘッドライナモジュールの拡大図である。
【図３】図２の実線ＩＩＩ−ＩＩＩに沿った、図１に示されるヘッドライナモジュールの断面図である。
【図１】
2009529459.tif 000003
【図２】
2009529459.tif 000004
【図３】
2009529459.tif 000005
【国際調査報告】
2009529459.tif 000006
2009529459.tif 000007
2009529459.tif 000008
2009529459.tif 000009
2009529459.tif 000010
2009529459.tif 000011
2009529459.tif 000012